(57)【要約】【課題】一端が屋根上設置物に接続され、他端が屋内に接続されるケーブルを覆うための防水性に優れたケーブルシェルタを提供すること。【解決手段】屋根材３０上に棟側から軒先側に向けて配設されるケーブルＣを覆うケーブルシェルタ５０において、屋根材３０の平面部上面に積層される左側平面部６１と、この左側平面部６１の左端側に形成され、左側の突条部４３に係合する左側係合部６２と、左側平面部６１の右端側に形成され、ケーブルＣを覆う左側カバー部６３を有する左側シェルタ部材６０と、屋根材３０の平面部上面に積層される右側平面部７１と、右側平面部７１の右端側に形成され、右側の突条部４３に係合する右側係合部７２と、右側平面部７１の左端側に形成され、ケーブルＣを覆うと共に、左側カバー部６３と係合する右側カバー部７３を有する右側シェルタ部材７０とを備えている。【選択図】図２
2019148117.tif 000002
【特許請求の範囲】
【請求項１】
野地板上に積層された平面部と、この平面部を挟んで棟側から軒先側に設けられた一対の突条部を有する屋根材上に設けられ、前記屋根材上に棟側から軒先側に向けて配設されるケーブルを覆うケーブルシェルタにおいて、
前記屋根材の平面部上面に積層される左側平面部と、この左側平面部の左端側に形成され、前記一対の突条部のうち左側の突条部に係合する左側係合部と、前記左側平面部の右端側に形成され、前記ケーブルを覆う左側カバー部を有する左側シェルタ部材と、
前記屋根材の平面部上面に積層される右側平面部と、この右側平面部の右端側に形成され、前記一対の突条部のうち右側の突条部に係合する右側係合部と、前記右側平面部の左端側に形成され、前記ケーブルを覆うと共に、前記左側カバー部と係合する右側カバー部を有する右側シェルタ部材とを備えているケーブルシェルタ。
【請求項２】
前記左側カバー部と前記右側カバー部の内側には、前記ケーブルを覆う延長シェルタ部材が配置されている請求項１に記載のケーブルシェルタ。
【請求項３】
前記左側シェルタ部材の棟側端部には、前記左側係合部と前記左側カバー部を接続する左側水止め板が立設され、
前記右側シェルタ部材の棟側端部には、前記右側係合部と前記右側カバー部を接続する右側水止め板が立設されている請求項１に記載のケーブルシェルタ。
【請求項４】
屋根材上に設置された屋根上設置物から棟側又は軒先側に引き出されたケーブルを屋内に通すための屋根構造において、
前記ケーブルを前記屋内側に通す貫通孔を有する野地板と、
この野地板上に設置されると共に、前記貫通孔に連通する開口部を有する平面部と、この平面部を挟んで棟側から軒先側に設けられた一対の突条部を有し、上面側に屋根上設置部が搭載される屋根材と、
前記一対の突条部間に配置されたケーブルシェルタとを具備し、
前記ケーブルシェルタは、前記屋根材の平面部上面に積層される左側平面部と、この左側平面部の左端側に形成され、前記一対の突条部のうち左側の突条部に係合する左側係合部と、前記左側平面部の右端側に形成され、前記ケーブルを覆う左側カバー部を有する左側シェルタ部材と、
前記屋根材の平面部上面に積層される右側平面部と、この右側平面部の右端側に形成され、前記一対の突条部のうち右側の突条部に係合する右側係合部と、前記右側平面部の左端側に形成され、前記ケーブルを覆うと共に、前記左側カバー部と係合する右側カバー部を有する右側シェルタ部材とを備えている屋根構造。
【請求項５】
前記左側カバー部と前記右側カバー部の内側には、前記ケーブルを覆う延長シェルタ部材が配置されている請求項４に記載の屋根構造。
【請求項６】
前記屋根材は、左右端部にそれぞれ被係合凸部及び係合凸部を有する複数の分割屋根材を一方の係合凸部を他方の被係合凸部に挿入して前記突条部を形成して形成されている請求項４に記載の屋根構造。
【発明の詳細な説明】
【技術分野】
【０００１】
本発明は、屋根上に設置された太陽電池パネル等の屋上設置物に接続するケーブルを覆うためのケーブルシェルタ及び屋根構造に関し、特に紫外線によるケーブルの劣化防止と、美観と防水性を兼ね備えたものに関する。
【背景技術】
【０００２】
近年、太陽電池パネルの普及により、屋根上に太陽電池パネルが設置された家屋が増えている（例えば、特許文献１参照）。図９に示すように、家屋２００の屋根材２０１上に設置された太陽電池パネルＰで生じた電力は、ケーブルＱによって家屋内に供給される。ケーブルＱの一端側は、太陽電池パネルＰの裏面（下面）側に設けられた出力端子に接続されている。ケーブルＱは屋根材１４の上をケラバ側に向けて引き回され、家屋２００の外壁等に設置された接続箱に接続される。そして、開口部等からを家屋２００内に引き入れられる。そして、他端側が屋内のパワーコントローラに接続されている。
【先行技術文献】
【特許文献】
【０００３】
【特許文献１】特開２０１７−２２３１０８号公報
【発明の概要】
【発明が解決しようとする課題】
【０００４】
上述した太陽電池パネル用のケーブルを屋内に引き込む構造には、次のような問題があった。すなわち、太陽電池パネルＰに接続されたケーブルＱは屋根材１４上を通るため、外部に露出している。このため、紫外線によりケーブルＱが劣化するため、樹脂被覆管が必要になりコスト高となる。また、美観を損ねると共に、ケーブルＱを伝わって雨水が屋内に入る虞があった。さらに、屋根材や野地板に直接貫通孔を形成し、ケーブルを引き込む施工法が実施され、その場合に防水性を高める方法が必要とされている。
【０００５】
そこで本発明は、一端が屋根上設置物に接続され、他端が屋内に接続されるケーブルを覆うことで、紫外線による劣化防止、美観の向上及び防水性の向上を図ることができるケーブルシェルタ及び屋根構造を提供することを目的としている。
【課題を解決するための手段】
【０００６】
前記課題を解決し目的を達成するために、本発明のケーブルシェルタ及び屋根構造は次のように構成されている。
【０００７】
一実施形態に係るケーブルシェルタは、野地板上に積層された平面部と、この平面部を挟んで棟側から軒先側に設けられた一対の突条部を有する屋根材上に設けられ、前記屋根材上に棟側から軒先側に向けて配設されるケーブルを覆うケーブルシェルタにおいて、前記屋根材の平面部上面に積層される左側平面部と、この左側平面部の左端側に形成され、前記一対の突条部のうち左側の突条部に係合する左側係合部と、前記左側平面部の右端側に形成され、前記ケーブルを覆う左側カバー部を有する左側シェルタ部材と、前記屋根材の平面部上面に積層される右側平面部と、この右側平面部の右端側に形成され、前記一対の突条部のうち右側の突条部に係合する右側係合部と、前記右側平面部の左端側に形成され、前記ケーブルを覆うと共に、前記左側カバー部と係合する右側カバー部を有する右側シェルタ部材とを備えている。
【０００８】
一実施形態に係る屋根構造は、屋根材上に設置された屋根上設置物から棟側又は軒先側に引き出されたケーブルを屋内に通すための屋根構造において、前記ケーブルを前記屋内側に通す貫通孔を有する野地板と、この野地板上に設置されると共に、前記貫通孔に連通する開口部を有する平面部と、この平面部を挟んで棟側から軒先側に設けられた一対の突条部を有し、上面側に屋根上設置部が搭載される屋根材と、前記一対の突条部間に配置されたケーブルシェルタを具備し、前記ケーブルシェルタは、前記屋根材の平面部上面に積層される左側平面部と、この左側平面部の左端側に形成され、前記一対の突条部のうち左側の突条部に係合する左側係合部と、前記左側平面部の右端側に形成され、前記ケーブルを覆う左側カバー部を有する左側シェルタ部材と、前記屋根材の平面部上面に積層される右側平面部と、この右側平面部の右端側に形成され、前記一対の突条部のうち右側の突条部に係合する右側係合部と、前記右側平面部の左端側に形成され、前記ケーブルを覆うと共に、前記左側カバー部と係合する右側カバー部を有する右側シェルタ部材とを備えている。
【発明の効果】
【０００９】
本発明によれば、一端が屋根上設置物に接続され、他端が屋内に接続されるケーブルが覆われることで、美観の向上及び防水性の向上を図ることが可能となる。
【図面の簡単な説明】
【００１０】
【図１】本発明の一実施の形態に係るケーブルシェルタが組み込まれた屋根構造を示す斜視図。
【図２】同屋根構造の要部を示す斜視図。
【図３】同ケーブルシェルタを示す斜視図。
【図４】同屋根構造の要部を図２中ＩＶ−ＩＶ線で切断して矢印方向に見た縦断面図。
【図５】同ケーブルシェルタの取付工程を示す斜視図。
【図６】同ケーブルシェルタの取付工程を模式的に示す説明図。
【図７】同ケーブルシェルタの取付工程を模式的に示す説明図。
【図８】同ケーブルシェルタの取付工程を模式的に示す説明図。
【図９】太陽光電池パネルが設けられた家屋を模式的に示す説明図。
【発明を実施するための形態】
【００１１】
図１は本発明の一実施の形態に係るケーブルシェルタ５０が組み込まれた屋根構造１０を有する家屋Ｋを示す斜視図、図２は屋根構造１０の要部を示す斜視図、図３はケーブルシェルタ５０を示す斜視図、図４は屋根構造１０の要部を図２中ＩＶ−ＩＶ線で切断して矢印方向に見た示す縦断面図である。なお、図中Ｎは野地板、Ｐは太陽光電池パネル、Ｆはブラケットを示している。
【００１２】
図１及び図４に示すように、家屋Ｋの上部を形成する屋根構造１０は、鉛直方向に立設された複数の前側柱材１１及び複数の後側柱材１２を有している。また、前側柱材１１間には前側桁１３が掛け渡されている。また、後側柱材１２間には後側桁１４が掛け渡されている。前側桁１３と後側桁１４は、棟側から軒先側に向けて配置された複数の垂木１５を支持している。垂木１５の上には、棟側から軒先側に向けて斜面を形成する野地板２０が配置されている。
【００１３】
野地板２０上には、板金製の屋根材３０が設けられている。なお、野地板２０は、ケーブルＣを屋内に通すための貫通孔２１を有している。この貫通孔２１は、屋根材３０を葺いた後、ドリル等により穴をあけ、後述する開口部４４と共に形成される。
【００１４】
屋根材３０は、複数の分割屋根材４０を組み合わせて形成されている。分割屋根材４０は、野地板２０に積層される平面部４１を有している。分割屋根材４０は、平面部４１の左側端部に設けられた被係合凸条部４１ａ及び右側端部に設けられた係合凸条部４２ａを備えている（図７参照）。被係合凸条部４１ａ及び係合凸条部４２ａは、いずれも先端が曲面状に形成された茸型をしているため、茸型締結部と称している。互いに隣接する分割屋根材４０の被係合凸条部４１ａと係合凸条部４２ａとは、係合凸条部４２ａ上に被係合凸条部４１ａを重ね合わせて下方に押し込むことで結合・締結する。このように結合した被係合凸条部４１ａと係合凸条部４２ａにより、棟側から軒先側にかけて延設された突条部４３が形成されることとなる。突条部４３は、野地板２０上に水平方向に一定間隔で形成されている。分割屋根材４０には、貫通孔２１に連通する開口部４４が形成される。
【００１５】
屋根材３０上にはブラケットＦを介して、太陽電池パネルＰが設置されている。屋根材３０上には、ケーブルシェルタ５０が設置されている。
【００１６】
ケーブルシェルタ５０は、隣り合う一対の突条部４３間に配置されている。ケーブルシェルタ５０は、左側シェルタ部材６０と、右側シェルタ部材７０と、延長シェルタ部材８０を備えている。
【００１７】
左側シェルタ部材６０は、屋根材３０を構成する分割屋根材４０の平面部４１上面に積層される左側平面部６１と、この左側平面部６１の左端側に形成され、左側の突条部４３に係合する左側係合部６２と、左側平面部６１の右端側に形成され、ケーブルＣを覆う左側カバー部６３を備えている。左側係合部６２は上述した係合凸条部４２ａとほぼ同じ形状に形成されている。左側シェルタ部材６０の棟側端部は、左側係合部６２と左側カバー部６３を接続する左側水止め板６４が立設されている。
【００１８】
右側シェルタ部材７０は、屋根材３０を構成する分割屋根材４０の平面部４１上面に積層される右側平面部７１と、この右側平面部７１の右端側に形成され、右側の突条部４３に係合する右側係合部７２と、右側平面部７１の左端側に形成され、ケーブルＣを覆うと共に、左側カバー部６３を上側として係合する右側カバー部７３を備えている。右側係合部７２は上述した係合凸条部４２ａとほぼ同じ形状に形成されている。右側シェルタ部材７０の棟側端部は、右側係合部７２と右側カバー部７３を接続する右側水止め板７４が立設されている。
【００１９】
延長シェルタ部材８０は、右側カバー部７３の内側に配置されており、ケーブルＣを覆う断面コの字状に形成されている。延長シェルタ部材８０は、上端は右側カバー部７３内に位置しているが、下端は太陽光電池パネルＰの下面側に位置している。延長シェルタ部材８０の任意の位置にＬ字状のブラケット８１が取り付けられている。
【００２０】
左側カバー部６３の一対の内壁間の水平方向の寸法に対し、右側カバー部７３の一対の外壁間の水平方向の寸法が、２，３ｃｍ程度小さく形成されている。さらに、右側カバー部７３の一対の内壁間の水平方向の寸法に対し、延長シェルタ部材８０の一対の外壁間の水平方向の寸法が、２，３ｃｍ程度小さく形成されている。このように左側カバー部６３、右側カバー部７３、延長シェルタ部材８０間に隙間を形成することで、分割屋根材４０の生産過程で生じる突条部４３間の寸法誤差を吸収することができる。
【００２１】
左側係合部６２と右側係合部７２との間には、押さえ板９０がネジ止めされている。また、突条部４３相互間には押さえ板９１がネジ止めされている。押さえ板９１にはブラケット８１を介して延長シェルタ部材８０を締結している。このため、延長シェルタ部材８０内の通るケーブルＣにはネジが干渉せず、傷付くことはない。
【００２２】
屋根材３０の棟側端部には水平方向に延設されたカバー部材１００が形成されている。上述した左側水止め板６４及び右側水止め板７４は、カバー部材１００で覆われている。カバー部材１００の上部には水切り部材１１０が配置されており、水切り部材１１０の下端は屋根材３０上に載置されている。
【００２３】
このように構成されたケーブルシェルタ５０は、次のようにして野地板２０上に設置する。図５に示すように、分割屋根材４０を組み合わせて屋根材３０を形成する。この時、野地板２０に設けられた貫通孔２１と、分割屋根材４０に設けられた開口部４４とを位置合わせする。次に、太陽光電池パネルＰをブラケットＦを介して屋根材３０上に設置する。次に、ケーブルＣの一端側を太陽光電池パネルＰの下面側に設けられた出力端子（不図示）に接続し、ケーブルＣを屋根材３０上を棟側に向けて引き回す。他端を開口部４４及び貫通孔２１から屋内に入れて、制御盤（不図示）に接続する。
【００２４】
次に、図６に示すように、左側シェルタ部材６０、右側シェルタ部材７０、延長シェルタ部材８０を用意し、図７に示すように各部材を組み合わせてケーブルシェルタ５０を構成する。そして、図８に示すように、延長シェルタ部材８０によって屋根材３０上に軒先側から棟側に向けて引き回されているケーブルＣ上を覆う。この時、延長シェルタ部材８０を棟側又は軒先側にスライドさせて、延長シェルタ部材８０の下端が太陽光電池パネルＰの下面側に位置し、上端が左側カバー部６３及び右側カバー部７３の内側に届くように位置決めする。
【００２５】
次に、右側シェルタ部材７０の右側カバー部７３によって延長シェルタ部材８０の棟側を覆い、右側係合部７２を係合凸条部４２ａに上側から押し込んで固定する。さらに、左側シェルタ部材６０の左側カバー部６３によって右側カバー部７３を覆い、左側係合部６２を係合凸条部４２ａに上側から押し込んで固定する。
【００２６】
さらに、カバー部材１００及び水切り部材１１０を取り付けて屋根構造１０が完成する。
【００２７】
このように構成されたケーブルシェルタ５０を用いることで、ケーブルＣは外部から見えなくなる。したがって、紫外線があたらず劣化せず、また見栄えが良く美観に優れている。また、ケーブルＣが雨水に直接当たらずに高寿命となる。さらに、ケーブルＣはケーブルシェルタ５０によって棟側から覆われているため、棟側に滴下した雨水はケーブルシェルタ５０上を通り、下方の屋根材３０に流れ落ちるため、ケーブルシェルタ５０には雨水が裏側に回り込まず、入り込まない。このため、ケーブルシェルタ５０を通して貫通孔２１から屋内へ水が伝わることがなく、高い防水性を維持できる。
【００２８】
ケーブルシェルタ５０は、左側シェルタ部材６０と、右側シェルタ部材７０と、延長シェルタ部材８０の３つの部材から形成され、それぞれは単純な構造となっていると共に、上述したような寸法関係を有している。このため、屋根材３０及び分割屋根材４０に生産過程で寸法誤差が生じ、突条部４３同士の間隔が変わった場合や、現場で適切に組み合わせるだけで、高い防水性を有するケーブルシェルタ５０を形成することができる。
【００２９】
このように本実施形態に係るケーブルシェルタ５０及びこのケーブルシェルタ５０を用いた屋根構造１０によれば、一端が太陽光電池パネルＰに接続され、他端が屋内に接続されるケーブルＣを覆うことで、美観の向上及び防水性の向上を図ることが可能となる。
【００３０】
なお、本発明は前記実施の形態に限定されるものではない。例えば、上述した例では、屋根上構造物として太陽光電池パネルＰを例示したが、風力発電機や送受信用アンテナ等を設置してもよい。
【００３１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００３２】
１０…屋根構造、２０…野地板、２１…貫通孔、３０…屋根材、４０…分割屋根材、４１…平面部、４１ａ…被係合凸条部、４２ａ…係合凸条部、４３…突条部、４４…開口部、５０…ケーブルシェルタ、６０…左側シェルタ部材、６１…左側平面部、６２…左側係合部、６３…左側カバー部、６４…左側水止め板、７０…右側シェルタ部材、７１…右側平面部、７２…右側係合部、７３…右側カバー部、７４…右側水止め板、８０…延長シェルタ部材、８１…ブラケット、９０，９１…押さえ板、１００…カバー部材、１１０…水切り部材。
【図１】
2019148117.tif 000003
【図２】
2019148117.tif 000004
【図３】
2019148117.tif 000005
【図４】
2019148117.tif 000006
【図５】
2019148117.tif 000007
【図６】
2019148117.tif 000008
【図７】
2019148117.tif 000009
【図８】
2019148117.tif 000010
【図９】
2019148117.tif 000011